(57)【特許請求の範囲】
【請求項１】
家具本体に出し入れ自在に収容された複数の抽斗の外側面にそれぞれストッパを突設し、前記家具本体の内側に回動可能に縦設した鍵棒に前記ストッパに係合可能なフックを設け、前記家具本体に設けた施錠装置で前記鍵棒を回動させることにより、前記フックを前記ストッパに対し係脱させるようにした家具における抽斗のロック装置において、
前記鍵棒にカム部材を設け、前記各抽斗には該抽斗が家具本体より引き出されるときにカム部材に当接し前記鍵棒を前記ストッパに対し前記フックの係合する方向に回動させる係接片を設け、
前記施錠装置は解錠位置とキーでロック可能な施錠位置との間を前後に移動可能な作動板を有し、前記鍵棒はその一端より略水平に延びて前記作動板に形成された係合孔に係合するアームを有し、前記作動板の係合孔は、前記作動板が解錠位置にあるとき前記アームが該係合孔内を前後に移動して前記鍵棒のフックが前記ストッパに対し係脱し得るように前後方向に長穴状に形成され、前記係合孔の中央部には前記アームを該係合孔の前端又は後端に係止するためのくびれ部が形成され、前記アームは前記くびれ部または該くびれ部と対向する前記係合孔の壁部の弾性変形により前記くびれ部を通過可能である
ことを特徴とする家具における抽斗のロック装置。
【発明の詳細な説明】
【０００１】
【産業上の利用分野】
本発明は家具における抽斗のロック装置に関し、更に詳しくは、施錠キーによる全抽斗のキーロックと、１つの抽斗が引き出されたときに他の抽斗を収納位置にロックする安全ロックの両機能を備えたロック装置に関する。
【０００２】
【従来の技術】
従来より、前面が開口したキャビネット本体の左右内側面に上下に間隔を開けてレール体を設け、各レール体に抽斗を出し入れ自在に支持したファイルキャビネット等の家具が用いられている。この種の家具においては、一般に、各抽斗の外側面にストッパが突設され、一方、キャビネット本体の内側には鍵棒が回動可能に縦設され、各ストッパに対応して鍵棒には複数個のフックが突設され、キャビネット本体に設けた施錠装置で鍵棒を回動させることにより、各フックを対応するストッパに対し係脱させるように構成されている。したがって、施錠装置をキーで操作して鍵棒をロック方向に回動させると、全てのフックが対応するストッパに係合するので、全ての抽斗を収納位置にロックすることができる。また、施錠装置をキーで操作して鍵棒をロック解除方向に回動させると全てのフックが対応するストッパから離脱するので、全ての抽斗が引き出し自在となる。
【０００３】
【発明が解決しようとする課題】
しかしながら、上述した従来の家具においては、１つの抽斗が引き出されたときに他の抽斗がロック解除状態にあるため、同時に複数個の抽斗が引き出されて家具の重量バランスが崩れ、家具が転倒する虞れがあった。
【０００４】
本出願人による特願平５−３５２１６４号には、１つの抽斗が引き出されたときにフックを備えた鍵棒をロック方向に回動させることにより、他の抽斗を収納位置にロックするロック装置が開示されている。この開示構成によればフックを備えた鍵棒を用いて、施錠装置による全抽斗のキーロックと、１つの抽斗が引き出されたときの他の抽斗の安全ロックとを行うことができるので、簡素な構造で家具の安全性を高めることができる。
【０００５】
しかし、上記特願平５−３５２１６４号記載のロック装置は、抽斗の側壁又はレール体に係合穴を形成し、抽斗が収納位置にあるときに鍵棒に設けられたアーム片をばね力で該係合穴に係合させることにより鍵棒をロック解除方向に回動させる構成であるため、抽斗を家具本体から引き出すときに係合穴から脱出したアーム片が抽斗の側壁面又はレール体の移動レールの壁面に押し当てられることとなり、抽斗の出し入れ動作中に上記アーム片の押当て力が常に抵抗力となって作用するため、抽斗の出し入れ操作が重くなるという難点がある。また、レール体に係合穴を形成することは、レール体の強度を低下させる原因となる。さらに、抽斗の側壁に直接係合穴を形成した場合、係合穴に係合したアーム片が抽斗の内部に突出して抽斗内のファイル等の収納物を傷つける虞れがあり、また、抽斗の内部に収納物が詰め込まれているとアーム片を十分に係合穴に係合させることができなくなるという問題が生じる。
【０００６】
したがって、本発明の目的は、施錠装置でロック及びロック解除操作される鍵棒を利用した簡単な構成で、強度低下を招くことなく、１つの抽斗が引き出されたときに他の抽斗を確実に収納位置に安全にロックすることができ、しかも、抽斗の出し入れ操作を楽に行うことができる家具における抽斗のロック装置を提供することにある。
【０００７】
【課題を解決するための手段】
上記課題を解決するために、請求項１記載の発明は、家具本体に出し入れ自在に収容された複数の抽斗の外側面にそれぞれストッパを突設し、前記家具本体の内側に回動可能に縦設した鍵棒に前記ストッパに係合可能なフックを設け、前記家具本体に設けた施錠装置で前記鍵棒を回動させることにより、前記フックを前記ストッパに対し係脱させるようにした家具における抽斗のロック装置において、前記鍵棒にカム部材を設け、前記各抽斗には該抽斗が家具本体より引き出されるときにカム部材に当接し前記鍵棒を前記ストッパに対し前記フックの係合する方向に回動させる係接片を設け、前記施錠装置は解錠位置とキーでロック可能な施錠位置との間を前後に移動可能な作動板を有し、前記鍵棒はその一端より略水平に延びて前記作動板に形成された係合孔に係合するアームを有し、前記作動板の係合孔は、前記作動板が解錠位置にあるとき前記アームが該係合孔内を前後に移動して前記鍵棒のフックが前記ストッパに対し係脱し得るように前後方向に長穴状に形成され、前記係合孔の中央部には前記アームを該係合孔の前端又は後端に係止するためのくびれ部が形成され、前記アームは前記くびれ部または該くびれ部と対向する前記係合孔の壁部の弾性変形により前記くびれ部を通過可能であることを特徴とする。
【０００８】
【作用】
請求項１記載のロック装置においては、施錠装置をキーで操作して鍵棒をロック方向に回動させると、全てのフックが対応するストッパに係合するので、全ての抽斗を家具本体内の収納位置にロック（キーロック）することができる。また、施錠装置をキーで操作して鍵棒をロック解除方向に回動させると全てのフックが対応するストッパから離脱するので、全ての抽斗が引き出し自在となる。さらに、１つの抽斗が家具本体より引き出されるときに抽斗の外側面に設けられている係接片がカム部材に当接し鍵棒をロック方向に回動させるので、他の抽斗を収納位置に安全にロック（安全ロック）することができる。そして、抽斗が家具本体より引き出されるときに、抽斗の外側面に設けられている係接片がカム部材に当接し鍵棒をロック方向に回動させた後は、カム部材が引き出された抽斗および係接片に対し切り離し状態となるので、抽斗を軽い力で出し入れ操作することができる。また、抽斗或いは抽斗を案内するレール手段にロック用の窓部を開設する必要がないので、それらの強度低下を防止することができると共に、抽斗内の収納空間を安全に最大限利用することができる。
【０００９】
また、施錠装置と一体に設けられた作動板には前後方向に長穴状の係合孔が形成され、該係合孔の中央部には鍵棒のアームを該係合孔の前端又は後端に係止するためのくびれ部が形成され、さらに、アームは、該くびれ部または該くびれ部と対向する係合孔の壁部の弾性変形により該くびれ部を通過可能であるので、施錠装置が解錠位置にあるとき、鍵棒のアームは係合孔内のくびれ部によって係合孔内の前端または後端に安定に係止され得ると共に、適度の外力を受けたときはくびれ部または該くびれ部と対向する係合孔の壁部を弾性変形させつつ該くびれ部を通過することができる。したがって、作動板の前後移動によるキーロックおよび解除と、抽斗の出し入れに伴う他の抽斗の安全ロックおよび解除とをそれぞれ確実に行い得る抽斗のロック装置を提供することができる。すなわち、施錠装置の作動板がロック解除のために解錠位置へと移動されると、鍵棒の一端のアームは作動板の係合孔の前端に係止されたままロック解除方向に回動変位される。そして、このとき、アームはくびれ部によって作動板の係合孔の前端に係止されるので、アームが不用意に係合孔の後端側すなわちロック方向に移動することを防止できる。また、その後何れかの抽斗が引き出されると、アームは作動板の係合孔のくびれ部または該くびれ部と対向する係合孔の壁部を弾性変形させることによって該くびれ部を通過し、解錠位置に保たれている作動板の係合孔の前端から後端へと移動するが、このとき、アームはくびれ部によって作動板の係合孔の後端に係止されるので、アームが不用意に係合孔の前端側すなわちロック解除方向に移動することを防止できる。
【００１０】
【実施例】
以下、図面を参照して本発明の実施例につき説明する。図１から図７までは本発明をファイルキャビネットに適用した場合の第１実施例を示したものであり、図１はキャビネットの全体斜視図、図２は抽斗とレール手段とロック装置の構成を示す要部斜視図、図３（ａ），（ｂ）はそれぞれロック装置の要部横断面図および要部縦断面側面図、図４はロック装置の要部縦断面図正面図、図５（ａ），（ｂ）はそれぞれロック装置の要部斜視図、図６および図７はそれぞれロック装置の動作説明図である。
【００１１】
はじめに図１を参照すると、前面が開口したキャビネット本体１には上下３段の抽斗２が出し入れ自在に収納されている。図２に示すように、各抽斗２を支持するレール手段は、キャビネット本体１の左右内側面（片側内側面のみ図示）に固定した断面略コ字形の本体固定レール３と、この本体固定レール３内に挿入されて支持される断面略コ字形の中間移動レール４と、抽斗２の外側面に固定された抽斗固定レール７とを有している。中間移動レール４の後端には本体固定レール３の上面部３ａの下面に当接するローラ５が軸支されており、また、中間移動レール４の前端近傍及び後端近傍にはそれぞれ本体固定レール３の底面部３ｂの上面に当接するローラ６が軸支されている。一方、抽斗２の抽斗固定レール７はローラ６の上面で支持されるようになっている。
【００１２】
上述したレール手段によれば、中間移動レール４を介して抽斗２をキャビネット本体１の前方に大きく引き出すことができるが、中間移動レールを省略したいわゆるシングルサスペンション形態のレール手段を用いてもよい。
【００１３】
図１〜図５に示すように、キャビネット本体１の片側の内側には鍵棒８が回動可能に縦設されており、各抽斗２の外側面に突設したストッパ９に対応して鍵棒８にはＵ字状の曲杆からなるフック１０が溶接によって固着されている。
【００１４】
図２及び図３（ｂ）に示すように、キャビネット本体１には施錠装置１１が設けられている。この施錠装置１１はキャビネット本体１の天板１ａの上前面部と天板１ａの内側に固設された前補強板１ｂとに支持されて前後に移動可能となっている。図２及び図３（ｂ）はこの施錠装置１１がキャビネット本体１の前方に突出した解錠状態を示している。この施錠装置１１を後方に押し、施錠装置１１のキー差込部１１ａに差し込んだキー（図示せず）を回すと、施錠装置１１はその押し込まれた施錠位置にロックされるようになっている。施錠装置１１には後方に延びる作動板１２が一体に設けられている。この作動板１２は金属製のフレーム１３とその後端部に取り付けられた樹脂製のブロック片１４とからなっており、ブロック片１４に設けられたばね係止部１５とキャビネット本体１の前補強板１ｂとの間に作動板１２および施錠装置１１を前方に付勢する引張ばね１６が取り付けられている。
【００１５】
図３（ｂ）および図５（ａ）に示すように、作動板１２のブロック片１４には係合孔１４ａが形成されており、鍵棒８はその上端より略水平に延びてブロック片１４の係合孔１４ａに係合するアーム８ａを有する。係合孔１４ａは、作動板１２が解錠位置（前進位置）にあるときアーム８ａが該係合孔１４ａ内を前後に移動して鍵棒８のフック１０がストッパ９に対し係脱し得るように前後方向に長穴状に形成されている。係合孔１４ａの中央部にはアーム８ａを該係合孔１４ａの前端又は後端に係止するためのくびれ部１４ｂが形成されている。また、くびれ部１４ｂと対向する係合孔１４ａの壁部１４ｃは撓み変形し得るように薄肉に形成されている。したがって、アーム８ａはくびれ部１４ｂによって係合孔１４ａの前端又は後端に係止されるが、該アーム８ａに適度の力が加えられると、ブロック片１３の壁部１４ｃを撓み変形させつつくびれ部１４ｂを通過することができる。
【００１６】
図３（ａ）および図５（ａ）に示すように、鍵棒８のアーム８ａの先端部には該アーム８ａが係合孔１４ａから不用意に抜け出ることを防止するための突起８ｂが設けられている。
【００１７】
図２，図３（ａ），図４および図５（ａ），（ｂ）を参照すると、鍵棒８には樹脂製のカム部材１７が固設されており、各抽斗２には該抽斗２がキャビネット本体１より引き出されるときにカム部材１７に当接して前記鍵棒８をロック方向すなわちストッパ９に対しフック１０の係合する方向に回動させる係接片１８が設けられている。カム部材１７は山形カム面１７ａを有し、係接片１８はこの山形カム面１７ａに当接可能なピン１８ａを有する。また、カム部材１７は鍵棒８の外周に弾接嵌合する嵌合部１７ｂを有しており、また、図４から判るように、カム部材１７の下面部に形成された係合溝にフック１０が係合することにより、カム部材１７は鍵棒８およびフック１０に対し止着されている。
【００１８】
図５（ｂ）に示すように、この実施例においては、係接片１８は抽斗２の外側面に固着された保持片１９に挿抜可能に装着されている。保持片１９には係合穴１９ａが形成されており、係接片１８にはこの係合穴１９ａの上縁に係止して係接片１８を保持片１９に係止する爪部１８ｂが設けられている。
【００１９】
上記構成を有するロック装置においては、施錠装置１１をキーで操作して鍵棒８をロック方向に回動させると、図６に示すように、全てのフック１０が対応する抽斗２のストッパ９に係合するので、全ての抽斗２をキャビネット本体１内の収納位置にロック（キーロック）することができる。また、施錠装置１１をキーで操作して鍵棒８をロック解除方向に回動させると、図３（ａ）に示すように、全てのフック１０が対応する抽斗２のストッパ９から離脱するので、全ての抽斗２が引き出し自在となる。さらに、１つの抽斗２がキャビネット本体１より引き出されると、図３および図７から判るように、その抽斗２の外側面に設けられている係接片１８のピン１８ａがカム部材１７の山形カム面１７ａに当接し鍵棒をロック方向に回動させるので、他の抽斗２を収納位置に安全にロック（安全ロック）することができる。そして、抽斗２がキャビネット本体１より引き出されるときに、その抽斗２の外側面に設けられている係接片１８がカム部材１７に当接し鍵棒８をロック方向に回動させた後は、カム部材１７は抽斗２および係接片１８に対し切り離し状態となるので、抽斗２を軽い力で出し入れ操作することができる。また、抽斗２或いは抽斗２を案内するレール手段にロック用の窓部を開設する必要がないので、それらの強度低下を防止することができると共に、抽斗２内の収納空間を安全に最大限利用することができる。
【００２０】
また、上記構成のロック装置においては、施錠装置１１と一体に設けられた作動板１２のブロック片１４には前後方向に長穴状の係合孔１４ａが形成され、該係合孔１４ａの中央部には鍵棒８のアーム８ａを該係合孔１４ａの前端又は後端に係止するためのくびれ部１４ｂが形成され、さらに、アーム８ａは、該くびれ部１４ｂまたは該くびれ部１４ｂと対向する係合孔の壁部１４ｃの弾性変形により該くびれ部１４ｂを通過可能であるので、施錠装置１１が解錠位置にあるとき、鍵棒８のアーム８ａは係合孔１４ａ内のくびれ部１４ｂによって係合孔１４ａ内の前端または後端に安定に係止され得ると共に、適度の外力を受けたときはくびれ部１４ｂと対向する係合孔１４ａの壁部１４ｃを弾性変形させつつ該くびれ部１４ｂを通過することができる。したがって、作動板１２の前後移動によるキーロックおよび解除と、抽斗２の出し入れに伴う他の抽斗２の安全ロックおよび解除とをそれぞれ確実に行うことができる。すなわち、施錠装置１１の作動板１２がロック解除のために解錠位置へと移動されると、鍵棒８の一端のアーム８ａは作動板１２のブロック片１４の係合孔１４ａの前端に係止されたままロック解除方向に回動変位される。そして、このとき、アーム８ａはくびれ部１４ｂによって係合孔１４ａの前端に係止されるので、アーム８ａが不用意に係合孔１４ａの後端側すなわちロック方向に移動することを防止できる。また、その後何れかの抽斗２が引き出されると、アーム８ａは係合孔１４ａのくびれ部１４ｂと対向する係合孔の壁部１４ｃを弾性変形させることによって該くびれ部１４ｂを通し、解錠位置に保たれている作動板１２の係合孔１４ａの前端から後端へと移動するが、このとき、アーム８ａはくびれ部１４ｂによって係合孔１４ａの後端に係止されるので、アーム８ａが不用意に係合孔１４ａの前端側すなわちロック解除方向に移動することを防止できる。
【００２１】
さらに、上記構成のロック装置においては、係接片１８が抽斗２の外側面に固着された保持片１９に装着されているので、抽斗２の外側面に複雑形状の打抜き、切り起こし等の加工を施すことなく、保持片１９を介して係接片１８を容易に抽斗２の外側面に取り付けることができる。
【００２２】
図８は係接片１８の取付構造の変形例を示したものである。同図を参照すると、この変形例では、係接片１８が抽斗２の外側面に切り起こし形成された保持片２０に装着されている。また、抽斗２の外側面には係接片１８の爪部１８ｂを係止する係合穴２１が形成されている。したがって、この変形例の場合、最小限の部品点数で係接片１８を抽斗２の外側面に取り付けることができる。
【００２３】
以上、図示実施例につき説明したが、本発明は上記実施例の態様のみに限定されるものではない。例えば、上記実施例においてはフック１０とカム部材１７は別部材からなるが、フック１０をカム部材１７と一体に樹脂で作ることも可能である。
【００２４】
【発明の効果】
以上の説明から明らかなように、本発明は、鍵棒にカム部材を設け、各抽斗には該抽斗が家具本体より引き出されるときにカム部材に当接し鍵棒をロック方向に回動させる係接片を設けたから、施錠装置でロック及びロック解除操作される鍵棒を利用した簡単な構成で、強度低下を招くことなく、１つの抽斗が引き出されたときに他の抽斗を確実に収納位置に安全にロックすることができ、しかも、抽斗の出し入れ操作を楽に行うことができる家具における抽斗のロック装置を提供することができる。
【図面の簡単な説明】
【図１】  本発明をファイルキャビネットに適用した場合の一実施例を示すキャビネットの全体斜視図である。
【図２】  図１のキャビネットの抽斗とレール手段とロック装置の構成を示す要部斜視図である。
【図３】  （ａ），（ｂ）はそれぞれ解錠位置にあるロック装置の要部横断面図および要部縦断面側面図である。
【図４】  図１のキャビネットの要部縦断面図正面図である。
【図５】  （ａ），（ｂ）はそれぞれ図１のキャビネットにおけるロック装置の要部斜視図である。
【図６】  施錠装置を解錠位置に移動させたときのロック装置の動作説明図である。
【図７】  抽斗を引き出したときのロック装置の動作説明図である。
【図８】  係接片の取付構造の変形例を示す要部斜視図である。
【符号の説明】
１        キャビネット本体
２        抽斗
８        鍵棒
８ａ      アーム
９        ストッパ
１０        フック
１１        施錠装置
１２        作動板
１４        ブロック片
１４ａ      係合孔
１４ｂ      くびれ部
１４ｃ      壁部
１６        引張りばね
１７        カム部材
１７ａ      山形カム面
１８        係接片
１８ａ      ピン
１８ｂ      爪部
１９        保持片
１９ａ      係合穴
２０        保持片
【図１】
0003763362.tif 000002
【図２】
0003763362.tif 000003
【図３】
0003763362.tif 000004
【図４】
0003763362.tif 000005
【図５】
0003763362.tif 000006
【図６】
0003763362.tif 000007
【図７】
0003763362.tif 000008
【図８】
0003763362.tif 000009